(57)【要約】【課題】在室者にドラフト感を与えることなく、換気システムの消費エネルギー量の削減ならびにイニシャルコストの低減を可能とし、必要換気量を確実に供給でき、かつ居室内に汚染空気のよどみが生じることを防ぐことができる換気システムおよび吹出口を提供する。【解決手段】屋外の新鮮空気を屋内に導入し屋内の汚染空気を屋外に排出する換気ユニット１０１と、前記新鮮空気を室内へ吹出す吹出口１と、前記汚染空気を室内から吸込む吸込口１０５とを備え、吹出口１と吸込口１０５を各々居室１０９と非居室１１０に設け、居室１０９と非居室１１０との間に空気流通手段１０８を設け、吹出口１を平面視で外周縁以外の換気ユニット１０１に最も近い壁面近傍もしくは空気流通手段１０８の近傍に設け、前記新鮮空気を平面視で空気流通手段１０８から最も遠い壁面もしくは隅角部の方向へ吹出す。【選択図】図１
2005257090.tif 000002
【特許請求の範囲】
【請求項１】
建物を換気する換気システムであって、
屋外の新鮮空気を屋内へ導入する給気送風手段と、屋内の汚染空気を屋外へ排出する排気送風手段と、前記給気送風手段から屋内導入管を介して室内へ給気をおこなう吹出口と、室内から前記排気送風手段へ屋内排出管を介して排気をおこなう吸込口とを備え、
前記吹出口を居室に設け、前記吸込口を非居室に設け、前記居室と前記非居室の間には空気流通手段が設けられ、
前記吹出口を平面視で前記給気送風手段に最も近くかつ外周縁以外の壁面もしくは前記壁面近傍に設けることを特徴とする換気システム。
【請求項２】
屋内導入管より吹出口へ導入された新鮮空気を平面視で空気流通手段から最も遠い壁面に向けて吹出すことを特徴とする請求項１記載の換気システム。
【請求項３】
屋内導入管より吹出口へ導入された新鮮空気を平面視で空気流通手段から最も遠い隅角部に向けて吹出すことを特徴とする請求項１記載の換気システム。
【請求項４】
建物を換気する換気システムであって、
屋外の新鮮空気を屋内へ導入する給気送風手段と、屋内の汚染空気を屋外へ排出する排気送風手段と、前記給気送風手段から屋内導入管を介して室内へ給気をおこなう吹出口と、室内から前記排気送風手段へ屋内排出管を介して排気をおこなう吸込口とを備え、
前記吹出口を居室に設け、前記吸込口を非居室に設け、前記居室と前記非居室の間には空気流通手段が設けられ、
前記吹出口を平面視で前記空気流通手段近傍に設け、前記屋内導入管より前記吹出口へ導入された新鮮空気を前記空気流通手段から最も遠い壁面に向けて吹出すことを特徴とする換気システム。
【請求項５】
建物を換気する換気システムであって、
屋外の新鮮空気を屋内へ導入する給気送風手段と、屋内の汚染空気を屋外へ排出する排気送風手段と、前記給気送風手段から屋内導入管を介して室内へ給気をおこなう吹出口と、室内から前記排気送風手段へ屋内排出管を介して排気をおこなう吸込口とを備え、
前記吹出口を居室に設け、前記吸込口を非居室に設け、前記居室と前記非居室の間には空気流通手段が設けられ、
前記吹出口を平面視で前記空気流通手段近傍に設け、前記屋内導入管より前記吹出口へ導入された新鮮空気を前記空気流通手段から最も遠い隅角部に向けて吹出すことを特徴とする換気システム。
【請求項６】
吹出口を居室の天井に設け、屋内導入管より吹出口へ導入された新鮮空気を立面視で居室の天井面に対して０度以上４５度以下の方向に吹出すことを特徴とする、請求項１〜５記載の換気システム。
【請求項７】
吹出口を居室の天井に設け、屋内導入管より吹出口へ導入された新鮮空気を立面視で居室の天井面に対して０度以上２０度以下の方向に吹出すことを特徴とする、請求項１〜５記載の換気システム。
【請求項８】
屋内導入管より吹出口へ導入された新鮮空気を平面視で多方向もしくは扇状に吹出すことを特徴とする請求項１〜７のいずれかに記載の換気システム。
【請求項９】
屋内導入管より吹出口へ導入された新鮮空気の吹出し風速を変化させることができる風速制御手段を備えた、請求項１〜８のいずれかに記載の換気システム。
【請求項１０】
居室の天井に設けられる吹出口であって、
屋内導入管より新鮮空気を導入する室外側開口と、前記室外側開口より導入された新鮮空気を居室に吹出す吹出し開口と、前記吹出し開口を形成する吹出し開口部を備え、
前記吹出し開口近傍における前記吹出し開口部の中心軸を天井面に対して０度以上４５度以下に設定することを特徴とする吹出口。
【請求項１１】
吹出し開口近傍における吹出し開口部の中心軸を天井面に対して０度以上２０度以下に設定することを特徴とする請求項１０記載の吹出口。
【請求項１２】
吹出し開口が平面視で多方向もしくは扇状に開口していることを特徴とする請求項１０または１１記載の吹出口。
【請求項１３】
吹出し開口の開口面積を変化させることができる面積可変手段を備えた請求項１０〜１２のいずれかに記載の吹出口。
【請求項１４】
居室の天井に設けられる吹出口であって、
屋内導入管より新鮮空気を導入する室外側開口と、前記室外側開口より導入された新鮮空気を居室方向へ搬出する室内側開口と、前記室内側開口近傍に設けられ天井面に対して角度を有した１以上の羽板を備えたルーバーを備え、
前記角度を０度以上４５度以下に設定することを特徴とする吹出口。
【請求項１５】
天井面に対する羽板の角度を０度以上２０度以下に設定することを特徴とする請求項１４記載の吹出口。
【請求項１６】
羽板が平面視で多方向もしくは扇状に配置されていることを特徴とする請求項１４または１５記載の吹出口。
【請求項１７】
室内側開口もしくはルーバーの開口面積を変化させることができる面積可変手段を備えた請求項１４〜１６のいずれかに記載の吹出口。
【発明の詳細な説明】
【技術分野】
【０００１】
本発明は、建物を換気する換気システム及び前記換気システムの構成要素である吹出口に関する。
【背景技術】
【０００２】
従来、建物を換気する換気システムは、吹出口が建物の外周縁に設けられているものが知られている（例えば、特許文献１参照）。
【０００３】
以下、その換気システムについて図１１を参照しながら説明する。図１１に示すように従来の換気システムは、屋外の新鮮空気を屋内に導入し屋内の汚染空気を屋外に排出する機能を備えた換気ユニット１０１と、換気ユニット１０１から屋内導入管１０２を介して給気をおこなう吹出口１０３と、換気ユニット１０１へ屋内排出管１０４を介して排気をおこなう吸込口１０５と、屋外より換気ユニット１０１へ新鮮空気を導入する屋外導入管１０６と、換気ユニット１０１から屋外へ汚染空気を排出する屋外排出管１０７とを備え、吹出口１０３と吸込口１０５は各々居室１０９と非居室１１０に設けられ、居室１０９と非居室１１０との間には空気流通手段としてドアのアンダーカット１０８が設けられ、吹出口１０３が平面視で建物の外周縁に設けられていることを特徴としている。
【０００４】
また吹出口１０３は、屋内導入管１０２から導入された新鮮空気を吹出口１０３の設置面と鉛直方向に吹出すものが知られている（例えば、特許文献２参照）。
【０００５】
以下、その換気システムについて図１２を参照しながら説明する。図１２に示すように従来の吹出口１０３は、屋内導入管１０２と居室１０９を連通させることで居室１０９に新鮮空気を吹出す連通管１１１と、連通管１１１に設けられた固定ねじ１１２と固定具１１３と固定リブ１１４によって構成されている。そして、固定ねじ１１２を締めることによって生じる固定具１１３の回転運動は、固定リブ１１４が遮ることによって下降運動に変わり、設置面を押さえることによって連通管１１１を天井に固定するものである。そして、屋内導入管１０２より導入された新鮮空気を吹出口１０３の設置面に対して鉛直方向に吹出すことを特徴としている。
【特許文献１】特許第３０５９６８２号公報
【特許文献２】特開平１０−３２５５９０号公報
【発明の開示】
【発明が解決しようとする課題】
【０００６】
しかし、従来の換気システムのように吹出口を建物の外周縁に設置すると、冬期における建物の外周縁の温度は前記外周縁以外より温度が低いため、外周縁を通過する時に冷やされた新鮮空気が在室者に当たり、ドラフト感を与えてしまうという課題があった。
【０００７】
また、一般的に換気ユニットを設置する非居室は建物の中心側に、吹出口を設置する居室は建物の外周縁に配置されるため、換気ユニットと吹出口を連通する屋内導入管の設置長さが長くなってしまい、屋内導入管における圧力損失によって送風能力の高い換気ユニットを設置する必要があり、さらに送風能力の高い換気ユニットを運転させるために大量のエネルギーが必要となるという課題があった。また、設計時に考慮できなかった屋内導入管の急激な曲がり等による圧力損失によって、必要換気量を満たさないという課題があった。また、屋内導入管の材料費や施工費といったイニシャルコストが高くなるという課題があった。
【０００８】
また、従来の換気システムのように居室へ供給する新鮮空気を設置面に対して鉛直方向に吹出す吹出口を建物の外周縁に設けると、空気流通手段が外周縁もしくは内壁の中央に設けられた場合、吹出口より供給された新鮮空気は居室内を循環せずに直接空気流通手段によって排出されるため、特に空気流通手段より最も遠い壁面や空気流通手段より最も遠い隅角部に汚染空気のよどみが生じるという課題があった。また、室内空間方向に向けて吹出すため、吹出口より供給された新鮮空気が在室者に直接当たりドラフト感を感じるという課題があった。
【０００９】
本発明は上記の課題を解決するものであり、在室者にドラフト感を与えることなく、換気システムの消費エネルギー量の削減ならびにイニシャルコストの低減を可能とし、必要換気量を確実に供給でき、かつ居室内に汚染空気のよどみが生じることを防ぐことができる換気システムを提供することを目的としている。
【課題を解決するための手段】
【００１０】
本発明のうち請求項１記載の発明は、上記目的を達成するために吹出口を平面視で給気送風手段に最も近くかつ外周縁以外の壁面もしくは前記壁面近傍に設けるものである。この発明により、新鮮空気の温度低下を防ぎ、換気システムの消費エネルギー量の削減ならびにイニシャルコストの低減を可能とし、必要換気量を確実に供給することができる。
【００１１】
また請求項２記載の発明は、上記目的を達成するために居室に供給される新鮮空気を平面視で空気流通手段から最も遠い壁面に向けて吹出すものである。この発明により、前記壁面近傍に汚染空気のよどみが生じることなく十分に換気を行なうことができる。
【００１２】
また請求項３記載の発明は、上記目的を達成するために居室に供給される新鮮空気を平面視で空気流通手段から最も遠い隅角部に向けて吹出すものである。この発明により、前記隅角部及び空気流通手段から最も遠い壁面近傍に汚染空気のよどみが生じることなく十分に換気を行なうことができる。
【００１３】
また請求項４記載の発明は、上記目的を達成するために吹出口を平面視で空気流通手段近傍に設け、空気流通手段から最も遠い壁面に向けて吹出すものである。この発明により前記壁面近傍や、空気流通手段と前記壁面の間に汚染空気のよどみが生じることなく十分に換気を行なうことができる。
【００１４】
また請求項５記載の発明は、上記目的を達成するために吹出口を平面視で空気流通手段近傍に設け、空気流通手段から最も遠い隅角部に向けて吹出すものである。この発明により、空気流通手段から最も遠い隅角部及び壁面近傍や、空気流通手段と前記壁面の間に汚染空気のよどみが生じることなく十分に換気を行なうことができる。
【００１５】
また請求項６記載の発明は、上記目的を達成するために吹出口から供給される新鮮空気の立面視における吹出し方向を天井面に対して０度から４５度の範囲内に設定したものである。この発明により、居住者が新鮮空気によるドラフトを感じることを防ぐことができる。
【００１６】
また請求項７記載の発明は、上記目的を達成するために吹出口から供給される新鮮空気の立面視における吹出し方向を天井面に対して０度から２０度の範囲内に設定したものである。この発明により、平面視でのアスペクト比の大きい居室にも適用することが可能となる。
【００１７】
また請求項８記載の発明は、上記目的を達成するために吹出口から供給される新鮮空気を平面視で多方向もしくは扇状に吹出すものである。この発明により、一方向にのみ吹出す場合と比較してさらによどみが生じることを防ぐことができる。
【００１８】
また請求項９記載の発明は、上記目的を達成するために吹出口から供給される新鮮空気の吹出し風速を調節させることができる風速制御手段を備えたものである。この発明により、吹出口から外周縁までの距離に応じて吹出し風速を調節することで、よどみが生じることなく十分な換気の効果を得ることができる。
【００１９】
また請求項１０〜１３記載の発明は、請求項１〜９記載の発明における換気システムを実現するための、室内側開口近傍における室内側開口部の中心軸が天井面に対してある角度を有している吹出口について具体的に説明している。
【００２０】
また請求項１４〜１７記載の発明は、請求項１〜９記載の発明における換気システムを実現するための、天井面に対して角度を有した１以上の羽板を備えたルーバーを備えた吹出口構造について具体的に説明している。
【発明の効果】
【００２１】
本発明によれば、在室者にドラフト感を与えることなく、換気システムの消費エネルギー量の削減ならびにイニシャルコストの低減を可能とし、必要換気量を確実に供給でき、かつ居室内に汚染空気のよどみが生じることを防ぐことができる換気システムを提供することができる。
【発明を実施するための最良の形態】
【００２２】
本発明のうち請求項１記載の発明は、吹出口を平面視で給気送風手段に最も近くかつ外周縁以外の壁面もしくは前記壁面近傍に設けるものであり、新鮮空気の温度低下を防ぎ、屋内導入感の設置長さを短くすることができるという作用を有する。
【００２３】
また請求項２記載の発明は、居室に供給される新鮮空気を平面視で空気流通手段から最も遠い壁面に向けて吹出すものであり、吹出口より供給された新鮮空気は前記壁面を経由したのちに空気流通手段によって室外へ排出されるという作用を有する。
【００２４】
また請求項３記載の発明は、居室に供給される新鮮空気を平面視で空気流通手段から最も遠い隅角部に向けて吹出すものであり、吹出口より供給された新鮮空気は前記隅角部や、空気流通手段から最も遠い壁面近傍を経由したのちに空気流通手段によって室外へ排出されるという作用を有する。
【００２５】
また請求項４記載の発明は、吹出口を平面視で空気流通手段近傍に設け、空気流通手段から最も遠い壁面に向けて吹出すものであり、吹出口より供給された新鮮空気は空気流通手段から最も遠い壁面や、空気流通手段と前記壁面の間を経由したのちに空気流通手段によって室外へ排出されるという作用を有する。
【００２６】
また請求項５記載の発明は、吹出口を平面視で空気流通手段近傍に設け、空気流通手段から最も遠い隅角部に向けて吹出すものであり、吹出口より供給された新鮮空気は空気流通手段から最も遠い隅角部及び壁面や、空気流通手段と前記壁面の間を経由したのちに空気流通手段によって室外へ排出されるという作用を有する。
【００２７】
また請求項６記載の発明は、吹出口から供給される新鮮空気の立面視における吹出し方向を天井面に対して０度から４５度の範囲内に設定したものであり、コアンダ効果によって吹出口の設置面近傍を設置面に対して平行に流れるという作用を有する。
【００２８】
また請求項７記載の発明は、吹出口から供給される新鮮空気の立面視における吹出し方向を天井面に対して０度から２０度の範囲内に設定したものであり、コアンダ効果によって新鮮空気の主流は吹出口の設置面に沿って流れ、到達距離が延びるという作用を有する。
【００２９】
また請求項８記載の発明は、吹出口から供給される新鮮空気が平面視で多方向もしくは扇状に吹出すものであり、平面視で複数方向に対して吹出すことができるため前記新鮮空気がくまなく居室内を循環するという作用を有する。
【００３０】
また請求項９記載の発明は、吹出口から供給される新鮮空気の吹出し風速を調節することができる風速制御手段を備えたものであり、居室内でよどみが生じることのないように風速を調節することができるという作用を有する。
【００３１】
また請求項１０記載の発明は、室内側開口近傍における室内側開口部の中心軸を天井面に対して０度以上４５度以下に設定するものであり、コアンダ効果によって天井面近傍を水平方向に流れるという作用を有する。
【００３２】
また請求項１１記載の発明は、室内側開口近傍における室内側開口部の中心軸を天井面に対して０度以上２０度以下に設定するものであり、コアンダ効果によって新鮮空気の主流は天井面に沿って流れ、到達距離が延びるという作用を有する。
【００３３】
また請求項１２記載の発明は、室内側開口を多方向もしくは扇状に向けて開口したものであり、平面視で多方向もしくは扇状に吹出すことができるという作用を有する。
【００３４】
また請求項１３記載の発明は、室内側開口の開口面積を変化させることができる面積可変手段を備えたものであり、屋内導入管より吹出口へ導入された新鮮空気の吹出し風速を変化させることができるという作用を有する。
【００３５】
また請求項１４記載の発明は、吹出口に備えられたルーバーの羽板の角度を天井面に対して０度以上４５度以下に設定したものであり、コアンダ効果によって吹出口の設置面近傍を設置面に対して平行に流れるという作用を有する。
【００３６】
また請求項１５記載の発明は、吹出口に備えられたルーバーの羽板の角度を天井面に対して０度以上２０度以下に設定したものであり、コアンダ効果によって新鮮空気の主流は吹出口の設置面に沿って流れ、到達距離が延びるという作用を有する。
【００３７】
また請求項１６記載の発明は、羽板を多方向もしくは扇状に配置したものであり、平面視で多方向もしくは扇状に吹出すことができるという作用を有する。
【００３８】
また請求項１７記載の発明は、室内側開口もしくはルーバーの開口面積を変化させることができる面積可変手段を備えたものであり、屋内導入管より吹出口へ導入された新鮮空気の吹出し風速を変化させることができるという作用を有する。
【００３９】
本発明のより具体的な実施の形態について図面を参照しながら説明する。なお、従来の換気システムと同一であるものについては同一番号を附す。
【００４０】
（実施の形態１）
図１に示すように、実施の形態１における換気システムは、屋外の新鮮空気を屋内に導入し屋内の汚染空気を屋外に排出する機能を備えた換気ユニット１０１と、換気ユニット１０１から屋内導入管１０２を介して給気をおこなう吹出口１と、換気ユニット１０１へ屋内排出管１０４を介して排気をおこなう吸込口１０５と、屋外より換気ユニット１０１へ新鮮空気を導入する屋外導入管１０６と、換気ユニット１０１から屋外へ汚染空気を排出する屋外排出管１０７で構成されている。
【００４１】
ここで、図２に示すように換気ユニット１０１は、屋外導入管１０６から屋内導入管１０２へ新鮮空気を流通させる給気送風手段と、屋内排出管１０４から屋外排出管１０７へ屋内の汚染空気を流通させる排気送風手段と、前記新鮮空気と前記汚染空気の熱交換を行なう熱交換手段と、前記新鮮空気に混入している汚染物質を除去する空気清浄手段を備えている。具体的には、給気送風手段としてモータとファンによって構成された給気用送風機１１を、排気送風手段として、給気用送風機１１と同じ構成の排気用送風機１２を、熱交換手段として熱伝達率の高い金属や樹脂等で構成され新鮮空気と汚染空気を前記素材で区切るような構造を有した熱交換素子１３を、空気清浄手段として換気ユニット内の新鮮空気の流通経路に設けられ虫やＮＯｘなどの有害ガスが室内に入るのを防ぐためのフィルタ１４を用いている。
【００４２】
次に吹出口１は、図３に示すように屋内導入管より新鮮空気を導入する室外側開口２１と居室側へ前記新鮮空気を供給する室内側開口２２を備えた連通管２３と、室内側開口２２に面した位置で連通管２３に接続されているパネル２４とで構成している。そして、連通管２３には、固定ねじ２５と固定具２６と固定リブ２７が設けられており、固定ねじ２５を締めることによって生じる固定具２６の回転運動は、固定リブ２７が遮ることによって下降運動に変わり、室内側開口２２を形成する連通管端部２８と固定具２６で設置面をはさみこむことによって連通管２３を設置面に固定するものである。また、連通管端部２８に設けられ凹部を有する接続用フランジ２９と、パネル２４の室内側開口２２に面した側のパネル内面３０に設けられた接続用爪部３１が嵌め合わされることによって、連通管２３とパネル２４は接続されている。そして、接続用フランジ２９ならびに接続用爪部３１は平面視で全て同一円周上に存在しているため、平面視におけるパネル２４の連通管２３に対する設置方向を変更することができる。そして連通管２３より導入された新鮮空気は、連通管端部２８とパネル内面３０によって形成された吹出し開口３２より室内に供給される。そして、連通管端部２８とパネル内面３０は天井面に対して０度以上４５度以下のある一定の角度を有しているため、吹出し開口３２近傍の連通管端部２８とパネル内面３０の中心軸は天井面に対して前期角度を有することとなる。なお管の中心軸とは、管が円管の場合は全ての断面の中心を結んだ線であり、管が四角管の場合は全ての断面における対角線の交点を結んだ線のことを意味する。また、吹出し開口３２が多方向もしくは扇状に開口している吹出口を用いた場合は前記新鮮空気を多方向もしくは扇状に吹出すことができる。またパネル２４は数種類存在し、それらのパネルは互いに接続用爪部３１の高さが異なっており、パネル２４を交換することによって吹出し開口３２の開口面積を変更することができる。
【００４３】
また前記以外の吹出口１の構造として、図４に示すように屋内導入管より新鮮空気を導入する室外側開口３３と居室方向へ前記新鮮空気を供給する室内側開口３４を備えた連通管３５と、室内側開口３４に面した位置で連通管３５に接続されているルーバー３６とで構成している。そして図３に示す吹出口と同様に、固定ねじ３７と固定具３８と固定リブ３９と連通管端部４０によって連通管３５は天井面に固定され、連通管端部４０に備えられた接続用フランジ４１とルーバー３６に備えられた接続用爪部４２によって連通管３５とルーバー３６は接続され、かつ平面視におけるルーバー３６の連通管３５に対する設置方向を変更することができる。そしてルーバー３６は、室内側開口３４より搬入された新鮮空気を居室に吹出す吹出し開口４３に、１以上の羽板４４が固定軸４５によって天井面に対して一定角度を有した状態で固定されているものであり、図５に示すような平面視で１方向に対して配列しているものを用いた場合は前記新鮮空気を１方向に吹出すことができ、図６に示すような平面視で２方向に対して配列しているものを用いた場合は前記新鮮空気を２方向に吹出すことができる。そして、吹出し開口４３の開口面積が異なるルーバー３６が数種類用意されている。
【００４４】
そして、各フロアごとに換気ユニット１０１を非居室１１０の天井裏に設置し、吹出口１を居室１０９の天井に設け、吸込口１０５を非居室１１０の天井に設け、屋外と換気ユニット１０１を屋外導入管１０６と屋外排出管１０７によって連通させ、換気ユニット１０１と吹出口１を屋内導入管１０２によって連通させ、換気ユニット１０１と吸込口１０５を屋内排出管１０４によって連通させる。そして、各居室１０９と非居室１１０との間に空気流通手段としてドアのアンダーカット１０８が設けられている。そして、吹出口１を居室１０９における換気ユニット１０１に最も近い壁面近傍の天井、もしくは平面視で空気流通手段８の近傍の天井に設け、屋内導入管１０２より導入された新鮮空気を平面視でアンダーカット１０８より最も遠い壁面もしくはアンダーカット１０８より最も遠い隅角部に吹出すようにパネル２４あるいはルーバー３６の接続方向を設定する。なお、居室とはリビングや和室などの人が生活する室を示し、非居室とは廊下や洗面所などの室を示す。また、空気流通手段としてドアのアンダーカットを用いているが、通気用ガラリやドアの上に設置される通気口や送風機を用いた場合も同様の効果を得ることができる。
【００４５】
上記の構成によれば、屋外の新鮮空気は屋外導入管１０６を経由して換気ユニット１０１に導入され、屋内導入管１０２を経由して吹出口１より居室１０９へ供給される。また、居室１０９の汚染空気は、アンダーカット１０８によって非居室１１０に排出され、吸込口１０５より屋内排出管１０４を経由して換気ユニット１０１へ導入され、屋外排気管７を経由して屋外に排出される。
【００４６】
そして、吹出口１を換気ユニット１０１から最も近い壁面近傍の天井に設置した場合、換気ユニット１０１は通常建物内に設けられることから、吹出口１は内壁近傍の天井に設けられることになるため、冬期において外周縁によって新鮮空気が冷やされるのを防ぐことができ、居住者にドラフト感を与えるのを防ぐことができる。また、従来の換気システムに比べて換気ユニット１０１と吹出口１との距離が短いため屋内導入管１０２の設置長さを短くすることができ、屋内導入管１０２の材料費ならびに施工費を削減することができる。また、屋内導入管１０２の設置長さを短縮することによって圧力損失を低減させることができ、その結果消費エネルギー量削減を可能とし、低能力の換気ユニットで十分なため換気ユニット１０１にかかるイニシャルコストを低減することができる。また、屋内導入管の設置長さが短いため屋内導入管の急激な曲がりが発生する確率が小さく、その結果設計通りの風量を供給することが可能となる。なお、吹出口１を壁面近傍に設けるとしているが、吹出口１の設置位置として、屋内導入管１０２の設置長さ短縮という目的を考慮すると換気ユニット１０１から最も近い居室の天井面に設けることが望ましいが、建材や換気ユニット１０１の設置方向によっては屋内導入管１０２に急激な曲がりを生じ、圧力損失が高くなってしまい、さらに換気ユニット１０１と屋内導入管１０２または屋内導入管１０２と吹出口１の接続部分が外れてしまう可能性もある。よって、屋内導入管に急激な曲がりを生じない範囲で換気ユニット１０１に近い天井面に設けるのが望ましい。
【００４７】
また、吹出口１から供給された新鮮空気をアンダーカット１０８より最も遠い壁面に向けて吹出した場合、前記新鮮空気は前記壁面に到達したのちアンダーカット１０８より非居室１１０へ排出されるため、前記壁面によどみが生じることなく十分に換気の効果を得ることができる。また、吹出口１から供給された新鮮空気をアンダーカット１０８より最も遠い隅角部に向けて吹出した場合、前記新鮮空気は前記隅角部に到達したのち前記隅角部を形成する２壁面に方向に分散するため、前記隅角部ならびに前記壁面によどみが生じることなく、十分に換気の効果を得ることができる。
【００４８】
また、吹出口１を平面視でアンダーカット１０８の近傍の天井に設置した場合、吹出口１を換気ユニット１０１から最も近い壁面近傍の天井に設置した場合と比較して、アンダーカット１０８とアンダーカット１０８から最も遠い壁面の間の空間も経由したのちアンダーカット１０８より排出されるため、前記空間によどみが生じることなく、より換気の効果を得ることができる。
【００４９】
そして吹出口１の設置位置として、前記空間のよどみを防止するという目的を考慮するとアンダーカット１０８の直上の天井面に設置することが望ましいが、吹出口１を換気ユニット１０１から最も近い壁面近傍の天井に設置した場合と同様に、屋内導入管に急激な曲がりを生じない範囲内で平面視でアンダーカットに近い位置に設置することが望ましい。そして、空気流通手段にドアのアンダーカットやドアの上に設置される通気口を用いると、ドア近傍は家具等の障害物が設置されることがないため、たとえ生活様式の変化に伴う模様替え等が行なわれた場合でも、吹出口１より供給された新鮮空気の流れが吹出口１近傍で妨げられることがないため、よどみが生じることなく十分な換気の効果を得ることができる。
【００５０】
また、冬期には吹出口から供給される新鮮空気が冷たく梅雨期や夏期の昼間にはむし暑いため、在室者に直接当たると不快に感じてしまう。そこで、図３に示す吹出口１の場合は連通管端部２８とパネル内面３０に対する角度を、図４に示す吹出口１の場合は羽板４４の天井面に対する角度を水平方向に設定することによって、前記新鮮空気は天井近傍を流れるため在室者に直接当たらなくなり、ドラフト感を与えるのを防ぐことができる。ここで、それぞれの吹出口における設定角度を天井面に対して０度以上４５度以下にすると、コアンダ効果により夏期は吹出口から供給された新鮮空気は天井近傍を流れるため、ドラフト感を与えるのを防ぐことができる。しかし、冬期は居室空気よりも比重が大きいため在室者に直接当たりドラフト感を与えてしまう可能性がある。そこで、冬期を考慮すると前記設定角度を天井面に対して０度以上３０度以下に設定することがより好ましい。なお、図９は冬期における前記設定角度が３０度の場合の冬期における風速分布の測定結果であり、Ｘは平面視における吹出口からの距離、Ｙは居室の床面からの高さであり、吹出口はＸ＝０ｍｍ、Ｙ＝２４００ｍｍの位置に設置されている。そして、Ｙ＝１８００ｍｍにおける最大風速が０．１ｍ／ｓ程度であるため、在室者が立ったときに頭に当たったとしても気にならないこととなる。
【００５１】
また、平面視でアスペクト比が大きい居室の場合、吹出口から供給される新鮮空気が空気流通手段から最も遠い壁面まで到達せずに前記壁面近傍によどみが生じてしまう。そこで、前記設定角度を天井面に対して０度以上２０度以下に設定すると、コアンダ効果により前記新鮮空気が天井を沿って進むため前記新鮮空気の到達距離が延び、その結果前記壁面まで到達しよどみが生じるのを防ぐことができる。なお、図１０は前記設定角度が天井面に対して２０度の場合の風速分布の測定結果であり、Ｘ、Ｙの定義ならびに吹出口の位置は図９と同じである。ここで、前記設定角度が３０度の場合Ｘ＝２５００ｍｍにおける最大風速は図９に示すように０．１ｍ／ｓ程度であるのに対して、前記設定角度が２０度の場合図１０に示すように０．２ｍ／ｓ以上であることから、到達距離が延びていると考えられる。
【００５２】
また、図３に示す吹出口の吹出し開口３２の開口面積や、図４に示す吹出口の吹出し開口４３の開口面積を小さくすることで、前記新鮮空気の吹出し風速を大きくし到達距離を延ばすことが可能となる。
【００５３】
さらに、吹出口から供給される新鮮空気を多方向もしくは扇状に吹出すことによって、吹出口から供給される新鮮空気は居室の複数の壁面方向に流れるため、１方向に吹出す吹出口と比較してよりよい換気の効果を得ることができる。
【産業上の利用可能性】
【００５４】
本発明は、在室者にドラフト感を与えることなく、換気システムの消費エネルギー量の削減ならびにイニシャルコストの低減を可能とし、必要換気量を確実に供給でき、かつ居室内に汚染空気のよどみが生じることを防ぐことができる換気システムを提供することができる、建物内を換気する換気システムならびに換気システムの構成要素である吹出口として有用である。
【図面の簡単な説明】
【００５５】
【図１】実施の形態１における換気システムの概略断面図
【図２】実施の形態１における換気ユニットの概略図
【図３】実施の形態１におけるパネルを用いた吹出口の概略図
【図４】実施の形態１におけるルーバーを用いた吹出口の概略図
【図５】図４の吹出口に設けられ１方向に吹出すことを特徴とした風向制御手段を示す図
【図６】図４の吹出口に設けられ２方向に吹出すことを特徴とした風向制御手段を示す図
【図７】実施の形態１における換気システムの１階の設置位置を示す概略平面図
【図８】実施の形態１における換気システムの２階の設置配置を示す概略平面図
【図９】吹出し角度が３０度の場合の居室内の風速分布測定結果を示す図
【図１０】吹出し角度が２０度の場合の居室内の風速分布測定結果を示す図
【図１１】従来の換気システムの概略断面図
【図１２】従来の吹出口の概略断面図
【符号の説明】
【００５６】
１  吹出口
１１  給気用送風機
１２  排気用送風機
２１  室外側開口
２８  連通管端部
３０  パネル内面
３２  吹出し開口
３３  室外側開口
３４  室内側開口
３６  ルーバー
４４  羽板
１０１  換気ユニット
１０２  屋内導入管
１０３  吹出口
１０４  屋内排出管
１０５  吸込口
１０６  屋外導入管
１０７  屋外排出管
１０８  アンダーカット
１０９  居室
１１０  非居室
【図１】
2005257090.tif 000003
【図２】
2005257090.tif 000004
【図３】
2005257090.tif 000005
【図４】
2005257090.tif 000006
【図５】
2005257090.tif 000007
【図６】
2005257090.tif 000008
【図７】
2005257090.tif 000009
【図８】
2005257090.tif 000010
【図９】
2005257090.tif 000011
【図１０】
2005257090.tif 000012
【図１１】
2005257090.tif 000013
【図１２】
2005257090.tif 000014